(57)【要約】【課題】  防湿性を備え故障や誤作動がなく、高いグリップ感と耐衝撃性を有するモバイル機器を提供すること。【解決手段】  ディスプレイウィンドウを有し、ねじ孔と凹溝及び締結段部を有する上部ケーシングと、前記締結段部と噛み合う締結溝と前記凹溝の内に挟まれる突出部を有し、外表面にバッテリーが取り付けられる凹部とねじ安着部が形成されている下部ケーシングと、前記の下部ケーシングの４側面に形成される側面スキンとそれから延びて前記の締結溝の内に形成される締結部スキンと、前記の凹部及びねじ安着部の少なくとも内側面を被覆するカバースキン及びねじ孔スキンからなり、前記の下部ケーシングと一体に形成されているシリコーンスキンと、前記の下部ケーシングのねじ安着部と上部ケーシングのねじ孔に締結されて前記の上部及び下部ケーシングを締結する固定ねじと、から構成されることを特徴とする、モバイル機器である。【選択図】      図５
2013219733.tif 000002
【特許請求の範囲】
【請求項１】
ディスプレイウィンドウを有し、ねじ孔と凹溝及び締結段部を有する上部ケーシングと、
前記の上部ケーシングの締結段部と噛み合う締結溝と前記の凹溝の内に挟まれる突出部を有し、外表面にバッテリーが取り付けられる凹部とねじ安着部が形成されている下部ケーシングと、
前記の下部ケーシングの４側面に形成される側面スキンとそれから延びて前記の締結溝の内に形成される締結部スキンと、前記の凹部及びねじ安着部の少なくとも内側面を被覆するカバースキン及びねじ孔スキンからなり、前記の下部ケーシングと一体に形成されているシリコーンスキンと、
前記の下部ケーシングのねじ安着部と上部ケーシングのねじ孔に締結されて前記の上部及び下部ケーシングを締結する固定ねじと、
から構成されることを特徴とする、モバイル機器。
【請求項２】
前記の下部ケーシングの凹部に締結部を有するバッテリーカバーが取り付けられると共に、前記のバッテリーカバーの締結部が挟まれる取付溝が形成されていることを特徴とする、請求項１に記載のモバイル機器。
【請求項３】
前記の下部ケーシングの外表面にアンテナが形成され、前記のシリコーンスキンが前記のアンテナの少なくとも外周縁部を一体に被覆しているアンテナスキンをさらに含むことを特徴とする、請求項１に記載のモバイル機器。
【請求項４】
前記の下部ケーシングの外表面にカメラ部が形成され、前記のシリコーンスキンが前記のカメラ部の外周縁部を一体に被覆しているカメラスキンをさらに含んでいることを特徴とする、請求項１に記載のモバイル機器。
【請求項５】
前記の下部ケーシングの表面に裏面カバーが取り付けられることを特徴とする、請求項１乃至４のうち、いずれか１項に記載のモバイル機器。
【請求項６】
前記の側面スキン、締結部スキン、カバースキン、及びねじ孔スキンと呼ばれるシリコーンスキンが一体に連続して形成され、前記の下部ケーシングのバッテリー取付のための凹溝の底面を除外した外表面の全領域を被覆していることを特徴とする、請求項１に記載のモバイル機器。
【請求項７】
前記の側面スキンと締結部スキンとが一体に連続して形成される一方、前記のカバースキン及びねじ孔スキンは各々不連続的に、また独立的に形成されていることを特徴とする、請求項１に記載のモバイル機器。
【請求項８】
前記の締結部スキンの外表面が凸部、凹部、または平滑部で形成され、前記の上部ケーシングの締結段部の端部が凹部、凸部、または平滑部で形成されていることを特徴とする、請求項１に記載のモバイル機器。
【請求項９】
前記の凹部の少なくとも内側面を被覆するカバースキンに隆起部が形成されて前記のバッテリーカバーの締結部を押圧するように形成されていることを特徴とする、請求項２に記載のモバイル機器。
【発明の詳細な説明】
【技術分野】
【０００１】
本発明はモバイル機器に関し、より詳しくは、下部ケーシングの上部ケーシングとの係合部と固定孔、バッテリー取付部に架かって形成された二重射出シリコーン層、選択的にはアンテナ部またはカメラ部やボタン部を含む領域に二重射出シリコーンスキンを有する防湿性（moisture proofing）のモバイル機器に関するものであって、キッチンやトイレ、プール、水辺などのように多湿な場所で使用しても湿気の侵入や水の侵入による機器の故障や誤作動の虞がないことと共に、ノンスリップ性（non-slip property）の軟らかくて卓越したグリップ感（grip feeling）と向上した耐衝撃性を示す機器に関する。
【背景技術】
【０００２】
一般に「モバイル機器（mobile device）」という用語は、携帯電話（フィーチャーフォン：Feature Phone）、ＭＰ３（MPEG（Moving Pictures Experts Group）-１ Audio Layer-３）、ＰＭＰ（Portable Media Player）、ＰＤＡ（Personal Digital Assistant）、ラップトップ（laptop）ノートブック、ミニノートブック、ＵＭＰＣ（Ultra-mobile Personal Computer）、タブレットＰＣ、スマートフォン（smart phone）、車両据置用ナビゲーション（Navigation）、携帯用ゲーム機器（Play Station Portable）、電子辞典など、携帯可能な全ての電子機器を指し示す。
【０００３】
上記のモバイル機器の中でも、携帯電話とＰＤＡの機能とが融合されたスマートフォンは、既存の音声通話中心の携帯電話機能に通信機能だけでなく、ＰＤＡのネットワーク機能とスケジュール機能、個人情報管理機能、Ｗｉ−Ｆｉを介したインターネット情報検索機能など、多様な機能を有しており、携帯用端末機を通じた音声通話は勿論、画像通話及び転送、ＭＰ３機能を通じた音楽鑑賞とＤＭＢを通じた動映像放送コンテンツを楽しむことができると共に、ＧＰＳを通じたナビゲーション機能は勿論、ゲームを楽しんだりまたは小説や漫画などもダウンロードして見ることができる等、その驚くべき便宜性及び多様な機能性によって、グローバル景気沈滞の中で毎年１３％以上の高い成長率を見せて、モバイル機器の中心として位置付けられている。
【０００４】
スマートフォンは多様に定義できるが、一般的には音声電話の他に高次元的な汎用基本ソフトウェア（ＯＳ：Operating System）が搭載されており、第三者アプリケーションの搭載及び作動が可能であり、インターネット利用が可能な複合モバイル機器として定義されることができ、機器の高性能化及び高集積化の傾向によって機器の敏感度はより高まる趨勢にある。
【０００５】
しかしながら、現在のスマートフォンユーザのうちの相当数はスマートフォンを少しの間も手放さず、トイレやキッチンなどのように多湿な環境で使用する頻度が増加しているところ、それに伴い湿気または水分の侵入による機器の誤作動や故障の頻度も一緒に増加している傾向にある。
【０００６】
一方、フィーチャーフォンに対する従来の典型的な防湿構造としては、韓国登録特許第１０−０５４６９６５号（２００６年０１月２０日登録）に提案されているものがある。図１１に示すような上部ケーシング２０'と下部ケーシング１０'との間に二重射出防水リング３０'を介在した形態である。また、これとは若干異なる構造としては、上記の防水リング３０'が外部に露出しないように、上部ケーシング２０'と下部ケーシング１０'との間の締結部分のみに防水パッキングが形成されている場合もある（特許文献１参照。）。
【０００７】
しかしながら、最近の多くの種類のスマートフォンは、背面に金属または樹脂薄板からなる背面カバーの下の下部ケーシングの外表面にバッテリー格納部と複数の固定ねじ孔、またはアンテナあるいはカメラなどが位置しているので、湿気や水気に非常に脆弱である。してみると、スマートフォンを湿気や水気の多い表面に置く場合、背面カバーの締結隙間を通じて下部ケーシングの背面に湿気や水気が侵入しやすく、すると機器の誤作動や故障をもたらすようになる。そこで、このような従来の防湿構造だけでは、モバイル機器の防湿において十分に満足なものではなかった。
【０００８】
また、前述したような防水リングを二重射出ではなく別途の部品で製作して使用する場合には、部品数及び工数の増加が製造コストの上昇をもたらす虞もある。
【０００９】
一方、従来のモバイル機器の本体ハウジングは、その材質がポリカーボネート（ＰＣ）またはポリプロピレン（ＰＰ）などの硬質のプラスチック材質からなっているので、グリップ感が劣り、耐衝撃性が低いという問題点があった。
【００１０】
そこで、多くのスマートフォンユーザがこのような問題点を解消するために、スマートフォンの４側面を取り囲む形態の別途のバンパー（bumper）ケースが購入・使用されている。一般にこのようなバンパーケースは、軟質のシリコーンと硬質のポリカーボネートの二重射出により形成されている。
【先行技術文献】
【特許文献】
【００１１】
【特許文献１】韓国特許第１０−０５４６９６５号明細書
【発明の概要】
【発明が解決しようとする課題】
【００１２】
そこで、本発明の第１の目的は、下部ケーシングの表面に露出されているバッテリー格納部と複数の固定ねじ孔、またはアンテナやカメラ設置部等を通じた湿気や水分の侵入を効果的に防止することによって、誤作動や故障の虞を除去したモバイル機器を提供することにある。
【００１３】
本発明の第２の目的は、モバイル機器を不注意により湿気や水気の多い表面の上に置く場合でさえも、湿気や水気の侵入を効果的に防止することができるモバイル機器を提供することにある。
【００１４】
本発明の第３の目的は、バンパーケースを別途用意することなくとも、ノンスリップ性（non-slip property）の軟らかくて卓越したグリップ感（grip feeling）を有するモバイル機器を提供することにある。
【００１５】
本発明の第４の目的は、外付けのバンパーケースを別途用いずとも耐衝撃性の向上したモバイル機器を提供することにある。
【００１６】
本発明の第５の目的は、上記の防湿性と向上したグリップ感、及び耐衝撃性を有するシリコーンスキンを二重射出により下部ケーシングと一体に形成することによって、優れる組立性及び高い生産性を有するモバイル機器を提供することにある。
【課題を解決するための手段】
【００１７】
上記の諸目的を円滑に達成するための本発明の好ましい一様態によれば、ディスプレイウィンドウを有し、ねじ孔と凹溝及び締結段部を有する上部ケーシングと、上記の上部ケーシングの締結段部と噛み合う締結溝と上記の凹溝の内に挟まれる突出部を有し、外表面にバッテリーが取り付けられる凹部とねじ安着部が形成されている下部ケーシングと、上記の下部ケーシングの４側面に形成される側面スキンとそれから延びて上記の締結溝の内に形成される締結部スキンと、上記の凹部及びねじ安着部の少なくとも内側面を被覆するカバースキン、及びねじ孔スキンからなり、上記の下部ケーシングと一体に形成されているシリコーンスキンと、上記の下部ケーシングのねじ安着部と下部ケーシングのねじ孔に締結されて上記の上部及び下部ケーシングを締結する固定ねじから構成されるモバイル機器が提供される。
【００１８】
また、本発明においては、上記の下部ケーシングの凹部に締結部を有するバッテリーカバーが取り付けられ、上記のバッテリーカバーの締結部が挟まれる取付溝が形成されているモバイル機器が提供される。
【００１９】
また、本発明においては上記の下部ケーシングの外表面にアンテナが形成され、上記のシリコーンスキンが上記のアンテナの少なくとも外周縁部と一体に被覆しているアンテナスキンをさらに含んでいるモバイル機器が提供される。
【００２０】
また、本発明においては上記の下部ケーシングの外表面にカメラ部が形成され、上記のシリコーンスキンが上記のカメラ部の外周縁部と一体に被覆しているカメラスキンをさらに含んでいるモバイル機器が提供される。
【００２１】
また、本発明においては上記の下部ケーシングの表面に薄い裏面カバーが取り付けられるモバイル機器が提供される。
【００２２】
また、本発明においては上記の側面スキン、締結部スキン、カバースキン、及びねじ孔スキンと呼ばれるシリコーンスキンが一体に連続して形成され、上記の下部ケーシングのバッテリー取付のための凹溝の底面を除外した外表面の全領域を被覆しているモバイル機器が提供される。
【００２３】
また、本発明においては上記の側面スキンと締結部スキンとが一体に連続して形成される一方、上記のカバースキン及びねじ孔スキンは、各々不連続的に、また独立的に形成されているモバイル機器が提供される。
【００２４】
また、本発明においては上記の締結部スキンの外表面が凸部、凹部、または平滑部で形成され、上記の上部ケーシングの締結段部の端部が凹部、凸部、または平滑部で形成されているモバイル機器が提供される。
【００２５】
また、本発明においては上記の凹部の少なくとも内側面を被覆するカバースキンに隆起部が形成されて、上記のバッテリーカバーの締結部を押圧するように形成されているモバイル機器が提供される。
【発明の効果】
【００２６】
本発明に従うモバイル機器は、下部ケーシングの表面に露出されているバッテリー格納部と複数の固定ねじ孔、またはアンテナやカメラ設置部等を通じた湿気や水分の侵入を効果的に防止することによって、誤作動や故障の虞を効果的に除去し、モバイル機器を不注意により湿気や水気の多い表面の上に置く場合でさえも湿気や水気の侵入を効果的に防止することができ、別途のバンパーケース無しでもノンスリップ性（non-slip property）の軟らかくて卓越したグリップ感（grip feeling）と耐衝撃性を有し、さらに防湿性と向上したグリップ感及び耐衝撃性を有するシリコーンスキンを二重射出により下部ケーシングと一体に形成することによって、優れた組立性及び高い生産性を保有する。
【図面の簡単な説明】
【００２７】
【図１】本発明に係るモバイル機器の例示正面図である。
【図２】図１の裏面カバー除去状態の底面図である。
【図３】図２のバッテリーカバー除去状態の底面図である。
【図４】図１の側面図である。
【図５】（ａ）は図２のＩ−Ｉ線の断面部を示す一部切欠底面斜視図、（ｂ）はその概略断面図である。
【図６】図５（ｂ）の変形例に対する概略断面図である。
【図７】本発明に係る他のモバイル機器の裏面カバー脱着状態例示底面図である。
【図８】本発明に係る更に他のモバイル機器の裏面カバー脱着状態例示底面図である。
【図９】本発明に係る更に他のモバイル機器の裏面カバー脱着状態例示底面図である。
【図１０】従来の防湿モバイル機器の平面図である。
【発明を実施するための形態】
【００２８】
本発明において、モバイル機器（mobile device）という用語は、スマートフォン、携帯電話（Feature Phone）、ＭＰ３、ＰＭＰ、ＰＤＡ、ラップトップノートブック、ミニノートブック、ＵＭＰＣ、タブレットＰＣ、ナビゲーション、携帯用ゲーム機器、電子辞典など、携帯可能な全ての電子機器として定義される。以下では特にスマートフォンについて言及することで説明する。
【００２９】
以下、添付図面を参照して本発明をより詳しく説明する。
【００３０】
図１は本発明に係るモバイル機器１の例示正面図であり、図２は図１の底面図であり、図３は図２のバッテリーカバー２２除去状態の底面図であり、図４は図１の側面図であり。図５（ａ）及び（ｂ）はそれぞれ図２のＩ−Ｉ線の断面部を示す一部切欠底面斜視図及び概略断面図であり、説明の便宜のために共に言及することにする。
【００３１】
図示した例での本発明に係るモバイル機器１の基本構造は、ディスプレイウィンドウ１１とボタン１３、１３ａまたはタッチ式操作部を有する上部ケーシング１０と、上記の上部ケーシング１０と締結され、外表面にバッテリーが取り付けられる凹部２１と複数のねじ安着部２３ａが形成されている下部ケーシング２０と、上記の下部ケーシング２０の４側面に形成される側面スキン３２とそれから延びて上部ケーシング１０と下部ケーシング２０との間に形成される締結部スキン３１と、上記の凹部２１及びねじ安着部２３ａの少なくとも内側面を各々被覆するカバースキン３５及びねじ孔スキン３４からなり、上記の下部ケーシング２０と一体に形成されているシリコーンスキン３０から構成され、ここで、上記の下部ケーシング２０のねじ安着部２３ａと上部ケーシング１０のねじ孔１４には固定ねじ２３が締結されて上記の上部ケーシング１０と下部ケーシング２０とを硬く締結固定する。
【００３２】
上記の上部ケーシング１０と下部ケーシング２０との締結構造は、図示した例に限定されず、多様な形態及び構造を有することができるものであるが、図示した例では上部ケーシング１０の縁底部には凹溝１５と締結段部１６が形成され、下部ケーシング２０の縁上部には上記の上部ケーシング１０の締結段部１６と対応する位置に上記の締結段部１６と噛み合う締結溝２４と上記の凹溝１５の内に挟まれる突出部２６が形成されており、上記の下部ケーシング２０の締結溝２４の内には締結部スキン３１が二重射出により一体に形成されているので、上記の上部ケーシング１０と下部ケーシング２０との間の締結隙間に湿気や水が侵入しないように形成されている。
【００３３】
図示した例では、シリコーンスキン３０が上記の締結部スキン３１と、それから外側に一体に延びて、良好なグリップ感と耐衝撃性を与える側面スキン３２と、上記の側面スキン３２から一体に延びて、バッテリーカバー２２の外表面を除外した下部ケーシング２０の底面領域を被覆している底面スキン３３と、上記の底面スキン３３から一体に延びて上記の凹部２１及びねじ安着部２３ａの少なくとも内側面を各々被覆するカバースキン３５、及びねじ孔スキン３４からなっている。
【００３４】
もっとも、本発明においては上記の締結部スキン３１と側面スキン３２とは一体に形成し、かつ上記の底面スキン３３の形成無しで、上記のカバースキン３５及びねじ孔スキン３４を分離して個別的に形成することもでき、場合によっては、上記の締結部スキン３１と側面スキン３２も互いに連結されていない不連続的な形態に個別的に分離形成することもでき、これらもまた本発明の領域内である。
【００３５】
また、図示した例においては、下部ケーシング２０の底面の外表面にバッテリー取付のための凹部２１が形成され、その上にバッテリーカバー２２が取り付けられた場合を図示しているが、本発明は後述する図７乃至図９の場合のように、このようなバッテリーカバー２２が存在しない場合や、または下部ケーシング２０の底面の外表面にアンテナ部２８、またはカメラ部２７を含む場合も含むという点を留意する必要がある。
【００３６】
下部ケーシング２０の底面に形成される突出部２６は、下部ケーシング２０の底面のスクラッチ防止のために形成され、底面スキン３３を貫通して露出される形態にしたり、またはその上面に底面スキン３３が被覆された状態にすることもできる。
【００３７】
図面のうち、未説明の符号１２は、ディスプレイウィンドウ安着部である。
【００３８】
図５ａ及び図５ｂに対して敷衍して説明すれば、下部ケーシング２０の凹部２１には締結部２２ａを有するバッテリーカバー２２が取り付けられると共に、上記の下部ケーシング２０に上記の締結部２２ａが挟まれる取付溝２５が別途に形成されている場合を例示しており、上記の下部ケーシング２０の締結溝２４の内に一体に形成される締結部スキン３１を押圧する上部ケーシング１０の締結段部１６の端部が凸部で形成された場合を図示しているが、上記の締結部スキン３１の外表面は、凸部、凹部、または平滑部の多様な形態に形成されることができ、同様に、上記の上部ケーシング１０の締結段部１６もその端部が凹部、凸部、または平滑部の多様な形態に形成されることができ、このような事項は本発明において制限的でなく、任意選択的である。
【００３９】
また、図５ａ及び図５ｂにおいては、ねじ安着部２３ａに二重射出により一体に形成されるねじ孔スキン３４が上記のねじ安着部２３ａの内側面（すなわち、内周縁面）と底面に形成され、カバースキン３５は凹部２１の内側面、具体的には取付溝２５の縁外側面に一体に形成され、その端部には隆起部３５ａが形成されて、バッテリーカバー２２の締結部２２を押圧することによって、湿気の侵入を防止するように形成されている。
【００４０】
次に、図５ｂの変形例に対する概略断面図である図６を参照して説明すれば、その基本構造は図５ｂのそれと実質的に同一であるので、その差異点に対してのみ簡略に説明すれば、上部ケーシング１０の締結段部１６の端部が凹部で形成され、締結部スキン３１の外表面は凸部形成され、ねじ孔スキン３４が上記のねじ安着部２３ａの内側面と底面、そしてねじ孔（図面符号未付与）の上部内側面まで形成することによって、防湿性を高めると共に、カバースキン３５を凹部２１の内側面、具体的には取付溝２５の縁外側面を経由して底面まで延長形成させた場合を示している。
【００４１】
次に、本発明に係る他のモバイル機器１ａの裏面カバー４０の脱着状態例示底面図である図７に対して説明すれば、上部ケーシング（図５ａでの図面符号１０参照）と締結された状態の下部ケーシング（図面符号未付与であって、図５ａでの図面符号２０参照）の底面の外表面にアンテナ２８とカメラ部２７が形成され、バッテリーカバー（図５での図面符号２２参照）無しで凹部２１の内にバッテリー５０が取り付けられ、上記の下部ケーシングの外表面にはカメラ部２７の露出のための開口４０ａが形成された金属または樹脂からなる薄い裏面カバー４０が取り付けられる典型的なスマートフォンを図示している。
【００４２】
図示した例では、締結部スキン３１（図５ａ及び図５ｂ参照）、側面スキン３２、底面スキン３３、ねじ孔スキン３４、カバースキン３５、アンテナスキン３６、カメラスキン３７からなるシリコーンスキン３０が連続して繋がった形態に二重射出により下部ケーシング（図５ａでの図面符号２０参照）と一体に形成されている。
【００４３】
ここで、カメラスキン３７は、レンズ２７ａとミラー２７ｂを含むカメラ部２７が露出されるように、その外周縁部を被覆する形態に形成され、上記のアンテナスキン３６は上記のアンテナ２８の外周縁部のみを被覆したり、または外周縁部を含む一部領域のみを被覆したり、またはアンテナ２８の全体を被覆したり、適切に選択して適用することができ、上記のアンテナは蒸着により形成されたもの、印刷により形成されたもの、または別途の金属薄板ピースとしてインサート成形により射出されたものであることがあり、本発明ではその種類を制限するものではない。
【００４４】
また、本発明においてはカバースキン３５はバッテリー５０が取り付けられる凹部２１の内側面（すなわち、内周縁部）に形成され、周縁部に隣接した外側領域を含むこともできる。
【００４５】
図示した例において、シリコーンスキン３０をなす底面スキン３３、ねじ孔スキン３４、カバースキン３５、アンテナスキン３６、カメラスキン３７などの厳格な境界や区画は格別な意味は無いし、説明の便宜のためのものである。
【００４６】
次に、図８は本発明に係る更に他のモバイル機器１ｂの裏面カバー４０の脱着状態の例示底面図であって、図７の場合と実質的に同一であるので、その差異点に対してのみ説明すれば、図示した例では側面スキン３２と締結部スキン３１は一体に連続して形成される一方、ねじ孔スキン３４、カバースキン３５、アンテナスキン３６、及びカメラスキン３７は、各々不連続的に、また独立的に形成され、かつ各々二重射出により下部ケーシング２０と一体に形成されている場合を示しており、別途の底面スキン（図７での図面符号３３参照）は存在しない場合を示す。
【００４７】
最後に、図９は本発明に係る更に他のモバイル機器１ｃの裏面カバー４０の脱着状態の例示底面図であって、図７または図８の場合と実質的に同一であるので、その差異点に対してのみ説明すれば、図示した例では側面スキン３２と締結部スキン３１は一体に連続して形成され、一部ねじ孔スキン３４、アンテナスキン３６、及びカメラスキン３７は、連続的に共に連結形成されている一方、一部ねじ孔スキン３４、及びカバースキン３５は独立的に形成され、かつ各々二重射出により下部ケーシング２０と一体に形成されている場合を示しており、部分的に形成された底面スキン３５により側面スキン３２と連結されるように部分連続的に形成されている場合を示す。
【００４８】
一方、上記のアンテナスキン３６は、図示したように、アンテナ２８の外周縁部を含んだ一部領域のみを被覆し、一部領域は露出されるようにすることで、アンテナ受信感度の低下が最小化できるように形成されることができる。
【００４９】
したがって、本発明においては底面スキン３３の存否及びその被覆領域の位置及び面積は任意選択的である。
【００５０】
本発明において、上記の上部及び下部ケーシング１０、２０は、ポリカーボネート（ＰＣ）やガラス繊維強化ポリカーボネートやエポキシ、ポリアミン（ＰＡ）、またはポリプロピレン（ＰＰ）などで射出成形製作され、上記のシリコーンスキン３０はシリコーンラバーの二重射出により上記の下部ケーシング２０と一体に製作されることによって、高い防湿信頼性を有するようになることは勿論、部品数の低減による優れる組立性及び高い生産性を保有する。
【００５１】
また、二重射出成形されたシリコーンスキン３０、特に側面スキン３２は別途のバンパーケースや保護ケースの取付無しでも充分の耐衝撃性を与えると共に、優れるグリップ感を表す。
【００５２】
上記のシリコーンスキン３０の厚さは制限的ではないが、０．１〜１．５ｍｍ位にすることができ、充分の耐衝撃性を与えるために側面スキン３２の厚さは０．５〜１．５ｍｍ位にすることができる。
【００５３】
併せて、上記のシリコーンスキン３０は多様な色相で形成することができ、必要であれば、側面スキン３２、底面スキン３３、ねじ孔スキン３４、カバースキン３５、アンテナスキン３６、カメラスキン３７等の色相を異なるように形成することもでき、選択的には上記のシリコーンスキン３０の表面に多様な陽刻や陰刻のドットまたは網状パターンなどを与えることもできることは勿論であり、これもまた本発明の領域内である。
【符号の説明】
【００５４】
１      モバイル機器
１ａ    モバイル機器
１ｂ    モバイル機器
１０    上部ケーシング
１１    ディスプレイウィンドウ
１２    ディスプレイ安着部
１３    ボタン
１４    ねじ孔
１５    凹溝
１６    締結段部
２０    下部ケーシング
２０ａ  露出表面
２１    凹部
２２    バッテリーカバー
２２ａ  締結部
２３    固定ねじ
２３ａ  ねじ安着部
２４    締結溝
２５    取付溝
２６    突出部
２７    カメラ部
２７ａ  レンズ
２７ｂ  ミラー
２８    アンテナ
３０    シリコーンスキン
３１    締結部スキン
３２    側面スキン
３３    底面スキン
３４    ねじ孔スキン
３５    カバースキン
３５ａ  隆起部
３６    アンテナスキン
３７    カメラスキン
【図１】
2013219733.tif 000003
【図２】
2013219733.tif 000004
【図３】
2013219733.tif 000005
【図４】
2013219733.tif 000006
【図５】
2013219733.tif 000007
【図６】
2013219733.tif 000008
【図７】
2013219733.tif 000009
【図８】
2013219733.tif 000010
【図９】
2013219733.tif 000011
【図１０】
2013219733.tif 000012